(57)【特許請求の範囲】
【請求項１】
断面Ｌ型の平面部先端に突起帯を立設した棒状材を周方向に折り曲げて形成したフィルター枠と、前記フィルター枠に前記突起帯により前記フィルター枠に形成される溝部内に塗布または滴下される接着剤によって接着されて固定される集塵フィルターを有してなるエアフィルター。
【請求項２】
集塵フィルターの全周に、厚みを圧縮した圧縮処理部を設け、この圧縮処理部をフィルター枠に接着により固定してなる請求項１記載のエアフィルター。
【請求項３】
フィルター枠の長手方向の中央に、平面部を残して切欠きを設け、前記フィルター枠を折り曲げ可能とした請求項１記載のエアフィルター。
【発明の詳細な説明】
【０００１】
【発明の属する技術分野】
本発明は、空気調和機等に組込まれる熱交換器に通す空気中の塵埃を除去するように設けられるエアフィルターに関する。
【０００２】
【従来の技術】
従来、この種のエアフィルターとして図９〜図１１に示すものが知られている。
【０００３】
図に示すように、断面Ｌ型の棒状材１０１を周方向に折り曲げてフィルター枠１０２を形成し、前記断面Ｌ型の平面部１０３に接着剤１０４を塗布または滴下し、集塵フィルター１０５を前記平面部１０３に接着することにより、エアフィルター１０６を形成していた。
【０００４】
また、長寸のものでは、フィルター枠１０７が分割されて、隙間１０８を設けて集塵フィルター１０９を接着することにより、エアフィルター１１０を形成していた。
【０００５】
【発明が解決しようとする課題】
このような従来のエアフィルター１０６では、断面Ｌ型の平面部１０３に接着剤１０４を塗布または滴下していたため、接着剤１０４がはみ出してフィルター枠１０２外の集塵フィルター１０５に付着し、外観仕上がりが悪くなるとともに、集塵フィルター１０５の性能が低下するという課題があり、接着剤１０４がフィルター枠１０２からはみ出ないようにすることが要求されている。
【０００６】
また、フィルター枠１０２の立ち上がり部は、集塵フィルター１０５の厚みと同じか、またはそれ以上の高さが必要であり、フィルター枠１０２の寸法が大きくなるという課題があり、集塵フィルター１０５の厚みに影響されることなくフィルター枠１０２を小型化することが要求されている。
【０００７】
また、エアフィルター１１０の折り曲げ部分では、フィルター枠１０７が省かれ集塵フィルター１０９のみであるので、集塵フィルター１０９に負荷がかかり破損しやすいという課題があり、エアフィルター１１０の引っ張りに対する強度、繰り返し折り曲げに対する強度を上げることが要求されている。
【０００８】
本発明は、このような従来の課題を解決するものであり、外観仕上がりを良くするとともに、集塵フィルターの性能低下を防ぐことができ、また、集塵フィルターの厚みに影響されることなくフィルター枠の小型化ができ、また、エアフィルターに折り曲げ部分を設けていても強度を確保することのできるエアフィルターを提供することを目的とする。
【０００９】
【課題を解決するための手段】
本発明のエアフィルターは上記目的を達成するために、断面Ｌ型の平面部先端に突起帯を立設した棒状材を周方向に折り曲げて形成したフィルター枠と、前記フィルター枠に前記突起帯により前記フィルター枠に形成される溝部内に塗布または滴下される接着剤によって接着されて固定される集塵フィルターを有したものである。
【００１０】
本発明によれば、外観仕上がりを良くするとともに、集塵フィルターの性能低下を防ぐことができるエアフィルターが得られる。
【００１１】
また他の手段は、集塵フィルターの全周に、厚みを圧縮した圧縮処理部を設け、この圧縮処理部をフィルター枠に接着により固定したものである。
【００１２】
本発明によれば、集塵フィルターの厚みに影響されることなくフィルター枠の小型化ができるエアフィルターが得られる。
【００１３】
また他の手段は、フィルター枠の長手方向の中央に平面部を残して切欠きを設け、前記フィルター枠を折り曲げ可能としたものである。
【００１４】
本発明によれば、エアフィルターに折り曲げ部分を設けていても強度を確保することのできるエアフィルターが得られる。
【００１５】
【発明の実施の形態】
本発明は、断面Ｌ型の平面部先端に突起帯を立設した棒状材を周方向に折り曲げて形成したフィルター枠と、前記フィルター枠に前記突起帯により前記フィルター枠に形成される溝部内に塗布または滴下される接着剤によって接着されて固定される集塵フィルターを有してなるものであり、平面部の溝部で接着剤が保持されるので、接着剤がフィルター枠外にはみ出すことを防ぐことができるという作用を有する。
【００１６】
また、集塵フィルターの全周に、厚みを圧縮した圧縮処理部を設け、この圧縮処理部を、フィルター枠に接着により固定したものであり、フィルター枠の立ち上がり部の寸法を、集塵フィルターの厚みより小さくすることができるという作用を有する。
【００１７】
また、フィルター枠の長手方向の中央に平面部を残して切欠きを設け、前記フィルター枠を折り曲げ可能としたので、長手方向中央の平面部がヒンジの役目をなし、エアフィルターを折り曲げ自在とすることができるという作用を有する。
【００１８】
以下、本発明の実施例について図面を参照しながら説明する。
【００１９】
【実施例】
（実施例１）
図１〜図４に示すように、棒状材４は断面Ｌ型の平面部１の先端に突起帯２が立設された合成樹脂製の押出成型品であり、この棒状材４を周方向に折り曲げて、矩形のフィルター枠５が形成されている。また、突起帯２によりフィルター枠５に溝部３が形成される。
【００２０】
溝部３内に接着剤６を塗布または滴下し、集塵フィルター７の四辺を接着によりフィルター枠５に固定して、エアフィルター８を形成している。
【００２１】
このとき、接着剤６は溝３で保持されるので、フィルター枠５外へのはみ出しを防止し、フィルター枠５外の集塵フィルター７表面に接着剤６が付着しないようにしている。
【００２２】
上記構成において、エアフィルター８は空気調和機（図示せず）に組み込まれている熱交換器１０に設けられたフィルター取付枠１１に、フィルター枠５を介して装着される。このとき、フィルター枠５がフィルター取付枠１１内側をスライドするので、着脱を簡単に行うことができることとなる。
【００２３】
フィルター枠５は合成樹脂製の押出成型品であり、平面部１に突起２を設けることにより、曲げ、捻り、ソリに対して強度が増す。
【００２４】
また、空気調和機の空調容量が変わり、熱交換器１０の奥行寸法Ｌが変わった場合には、奥行寸法Ｌに合わせてフィルター枠５の全長寸法を設定し、コーナー部の切欠き１２位置を変更するだけで、簡単に対応することができる。
【００２５】
（実施例２）
図５および図６に示すように、集塵フィルター７の全周に、熱溶着加工等により、集塵フィルター７の厚みを圧縮した圧縮処理部９が設けられており、この圧縮処理部９をフィルター枠５Ｂに接着により固定して、エアフィルター８Ｂを形成している。
【００２６】
上記構成において、集塵フィルター７の全周に圧縮処理部９を設けることにより、集塵フィルター７の端面が、フィルター枠５Ｂの立ち上がり部１３からのはみ出しを防ぐことができるので、フィルター枠５Ｂの立ち上がり部の高さＡを、集塵フィルター７の厚みＢより低くすることができ、フィルター枠５Ｂの小型化をはかることができる。
【００２７】
（実施例３）
図７および図８に示すように、フィルター枠５Ｃの長手方向の中央に平面部を残して切欠き１２Ｃを設け、フィルター枠５Ｃに集塵フィルター７Ｃを接着して形成している。
【００２８】
フィルター枠５Ｃの材質は、繰返し折り曲げ強度の良い（ヒンジ性の良い）ポリプロピレンを使用しているため、フィルター枠５Ｃ中央の切欠き１２Ｃの平面部で繰返し折り曲げ可能となり、フィルター枠５Ｃを折り曲げるときに集塵フィルター７Ｃも一緒に折り曲げできるようになっている。
【００２９】
上記構成において、空気調和機に付随する熱交換器に組み込まれたフィルター取付枠（図示せず）より、エアーフィルター８Ｃを取り出すときに、エアーフィルター８Ｃが側方の空間より長く突き出すときには、取り出しできない。
【００３０】
このようなときに、エアーフィルター８Ｃを中央で折り曲げ、エアーフィルター８Ｃの突出量を少なくして取り出すことができる。
【００３１】
また、切欠き１２Ｃを設けた折り曲げ自在の平面部はフィルター枠５Ｃがあるので、集塵フィルター７には引っ張りや折り曲げ時に直接の力が掛らず、集塵フィルター７を損傷することがないので、集塵能力を維持することができる。
【００３２】
【発明の効果】
以上の実施例により明らかなように、第１の発明によれば、平面部の溝部で接着剤が保持され、接着剤がフィルター枠外にはみ出すことを防ぐことができるので、集塵フィルターの性能低下を防ぎ、外観の見栄えが良く、フィルター枠の強度を上げ、かつ、奥行き寸法の長さが変わっても容易に対応することができるエアフィルターを提供できる。
【００３３】
第２の発明によれば、フィルター枠の立ち上がり部の寸法を、集塵フィルターの厚みより小さくすることができるので、フィルター枠の高さ寸法およびフィルター取付枠の高さ寸法が小さくなり、熱交換器の外形寸法を小型化することができるというエアフィルターを提供できる。
【００３４】
第３の発明によれば、長手方向中央の切欠きがヒンジとなり、エアーフィルターを折り曲げ自在とすることができるので、エアーフィルターの取り出しに必要なスペースを減少させることができるとともに、フィルター枠が連続しているので、引っ張りや折り曲げ時に集塵フィルターには直接の力が加わることがなく、集塵フィルター損傷を防ぎ、集塵能力を維持することができるとともに、着脱時の取扱いが容易にできるエアフィルターを提供できる。
【図面の簡単な説明】
【図１】本発明の実施例１のエアフィルターの要部断面図
【図２】同エアフィルターの要部平面図
【図３】同エアフィルターの取り付け方法を示す分解斜視図
【図４】同エアフィルター取り付け状態を示す要部断面図
【図５】同実施例２のエアフィルターの要部断面図
【図６】同エアフィルターの取り付け状態を示す要部断面図
【図７】同実施例３のエアフィルター枠の外観斜視図
【図８】同エアフィルターの折り曲げ時の側面図
【図９】従来のエアフィルターの外観斜視図
【図１０】同エアフィルターの要部断面図
【図１１】同エアフィルターの折り曲げ時の側面図
【符号の説明】
１     平面部
２     突起帯
３     溝部
４     棒状材
５     フィルター枠
６     接着剤
７     集塵フィルター
９     圧縮処理部
１２   切欠き
【図１】
0004429506.tif 000002
【図２】
0004429506.tif 000003
【図３】
0004429506.tif 000004
【図４】
0004429506.tif 000005
【図５】
0004429506.tif 000006
【図６】
0004429506.tif 000007
【図７】
0004429506.tif 000008
【図８】
0004429506.tif 000009
【図９】
0004429506.tif 000010
【図１０】
0004429506.tif 000011
【図１１】
0004429506.tif 000012